(57)【要約】【課題】  搬送路の最下流部に固定式の読取手段が配置されてなる画像読取装置において、読取手段の位置ずれが生じて画像読取精度が劣化すること、原稿の排出時に落下不良が生じること、の少なくとも１つを解決する手段の提供を目的とする。【解決手段】  本画像読取装置１は、給紙トレイ１１から斜め下方へ傾斜して最下位置Ｂに至り、最下位置Ｂから斜め上方へ傾斜する搬送路９と、搬送路９の最下流部９ｂに設けられた水平部４０と、水平部４０に配置され、原稿Ｐの一方の面を読み取る固定式の第２読取手段１０と、第２読取手段１０の対向位置Ｙに配置されたプラテンローラ１７と、第２読取手段１０をプラテンローラ１７に圧接する付勢手段２５と、排出ローラ１８のローラ本体１８ｂの周面３５よりローラ軸１８ａ側の位置を頂部３６として下ガイド部材２４の下端壁２７から排紙トレイ１１側へ突出する落下補助リブ２１とを具備するものである。【選択図】  図１
2005096951.tif 000002
【特許請求の範囲】
【請求項１】
給紙トレイから斜め下方へ傾斜して最下位置に至り、該最下位置から斜め上方へ傾斜する搬送路と、該搬送路の最下位置に配置され、前記搬送路を搬送される原稿の表面又は裏面の一方の面を読み取る第１読取手段と、該第１読取手段の下流側に配置され、原稿の他方の面に密着して該他方の面を読み取る第２読取手段と、該第２読取手段の搬送路を挟んで対向位置に配置されたプラテンローラと、前記第２読取手段を前記プラテンローラに圧接する付勢手段と、を具備してなる画像読取装置において、
前記搬送路の最下流部に、搬送路が水平に形成されてなる水平部が設けられ、該水平部に、前記第２読取手段が、前記付勢手段により前記プラテンローラに圧接されて設けられたことを特徴とする画像読取装置。
【請求項２】
前記搬送路の最下流端に配置され、ローラ軸及び該ローラ軸の軸方向に所定間隔で設けられた複数のローラ本体を備える排出ローラと、前記水平部を排紙トレイに対して所定の高さに形成し、その下流端に前記排出ローラのローラ本体を収装するための凹欠部が夫々形成された下ガイド部材と、前記各凹欠部の少なくともローラ軸方向片側に設けられ、前記ローラ本体の周面よりローラ軸側の位置を頂部として前記下ガイド部材の下端壁から排紙トレイ側へ突出する落下補助リブと、を具備することを特徴とする請求項１記載の画像読取装置。
【請求項３】
前記下ガイド部材の各凹欠部間の下端壁上隅部が面取りされたことを特徴とする請求項２記載の画像読取装置。
【発明の詳細な説明】
【技術分野】
【０００１】
本発明は、搬送路の最下流部が斜め上方へ傾斜して形成され、この最下流部に固定式の読取手段が配置されてなる画像読取装置に関するものである。
【背景技術】
【０００２】
コピー機、ファックス機、スキャナ等では、原稿の表裏両面の読み取りを行う画像読取装置を具備するものがある。図６は、従来の画像読取装置の一例を示す概略縦断面図である（特許文献１参照）。図に示すように、画像読取装置５０は、オートドキュメントフィーダー（以下、「ＡＤＦ」という）５１と、フラットベッドスキャナ（以下、「ＦＢＳ」という）５２とを具備してなるものであり、給紙トレイ５３上にセットされた原稿Ｐは、ピックアップローラ５４によって搬送路５５へと取り込まれ、搬送路５５に沿って適宜配置された搬送ローラ５６によって下流へと搬送され、搬送路５５の最下流端５５ａに配置されて回転駆動される排出ローラ５７、及びこの排出ローラ５７に当接するように設けられたプレスローラ５８によって排出口５９から排紙トレイ６０へと排出されるものとなっている。この画像読取装置５０においては、ＦＢＳ５２の原稿載置面であるプラテンガラス６１の下方に設けられた第１読取手段６２により搬送路５５を搬送される原稿Ｐの一方の面が読み取られた後、第２読取手段６３により原稿Ｐの他方の面が読み取られることで原稿Ｐの両面読み取りが可能となっている。
【０００３】
この画像読取装置５０では、図に示すように、搬送路５５は、給紙トレイ５３から斜め下方へ傾斜して最下位置Ｂに至り、この最下位置Ｂから斜め上方へ傾斜することで略Ｕ字形状に湾曲して形成されており、最下位置Ｂに第１読取手段６２が配置され、その下流側、すなわち、斜め上方へ傾斜する部分に第２読取手段６３が配置されている。このように、最下位置Ｂから排出口５９までの間を斜め上方へ傾斜させ、原稿Ｐを排出口５９から斜め上方へ向って排出させることにより、原稿Ｐが完全に排出される前に原稿Ｐの先端部が排紙トレイ６０に接触して原稿Ｐが停滞してしまう問題が生じることを防止している。
【０００４】
図７は、図６における第２読取手段６３の近傍を拡大した図である。第２読取手段６３は、所謂密着型イメージセンサ（Contact Image Sensor、以下「ＣＩＳ」という。）であり、図に詳細は示していないが、読取領域６４に密着された原稿Ｐに対して光源から光を照射し、その反射光を収束性ファイバで光導電素子上に収束して読み取る固定式の読取手段である。この第２読取手段６３は、図に示すように、搬送路５５の傾斜角と略等しい角度で配置されており、その上面６３ａには、搬送路５５を形成する上ガイド部材６５に図示しない一端が固定されたスプリング６６の他端６６ａが取り付けられている。これにより、第２読取手段６３は、スプリング６６によって搬送路５５と略直交する方向に付勢されて、その読取領域６４が、搬送路５５を挟んで対向位置Ｙに配置されたプラテンローラ６７に圧接されており、搬送路５５を搬送される原稿Ｐは、プラテンローラ６７に案内されて、その読取面が読取領域６４と密着するものとなっている。
【０００５】
一方、図８は従来の他の形態の画像読取装置７０の原稿排出部７１を示す図である（特許文献２参照）。画像読取装置７０は、プレスローラ７２を当接させて設けられた排出ローラ７３と、この排出ローラ７３の直下に設けられ、搬送路７４を搬送される原稿Ｐの向きを水平方向へと変える水平ガイド７５と、排出ローラ７３の両端面７３ａに取り付けられたパドルリング７６を具備してなるものである。パドルリング７６には、発泡ウレタン等の可撓性に富む材質からなる複数のパドル７７が突設されており、このパドル７７が原稿Ｐと連続的に接触することにより、原稿Ｐに対して、水平方向への押し出し力を付与するものとなっている。これにより、搬送路７４を斜め下方に向って搬送されてきた原稿Ｐの向きを原稿排出部７１で水平方向に変えた場合でも、原稿Ｐの後端部７８は、水平ガイド７５近傍で停滞することなく排紙トレイ７９へと排出されるものとなっている。
【０００６】
【特許文献１】特開２００３−１３４３０２号公報
【特許文献２】実開平４−１２７７５０号公報
【発明の開示】
【発明が解決しようとする課題】
【０００７】
しかし、従来の画像読取装置５０では、図７に示すように、第２読取手段６３には、スプリング６６による付勢力Ｆ１と、重力による力Ｆ２が作用するが、スプリング６６による付勢力Ｆ１が第２読取手段６３に対して略直交する方向に作用するのに対して、重力による力Ｆ２は鉛直方向に作用し、第２読取手段６３に対して略平行な方向への分力が生じるために、第２読取手段６３がプラテンローラ６７の周面６７ａに沿って位置ずれを起こし、画像読取精度が劣化する場合がある。特に、大きいサイズの原稿Ｐでも読み取り可能とするために、第２読取手段６３の長手寸法を長尺とした場合、第２読取手段６３自体の重量が増加し、重力による力Ｆ２が大きくなるので、第２読取手段６３は位置ずれを起こしやすくなる。この問題を防止するためには、複雑な機構を設ける必要があり、画像読取装置５０の大型化、コストアップにつながるという問題がある。
【０００８】
この第２読取手段６３の位置ずれの問題を、画像読取装置５０の大型化及びコストアップを伴うことなく解決する手段としては、搬送路５５の最下流部を略水平となるように形成し、この水平な箇所に、第２読取手段６３を、スプリング６６によりプラテンローラ６７に圧接されるようにして設ける、という方法がある。この場合、第２読取手段６３に対して作用する、スプリング６６による付勢力Ｆ１、及び重力による力Ｆ２は、そのいずれもが第２読取手段６３に対して直交する方向に作用し、第２読取手段６３に対する平行方向への分力が生じないので、第２読取手段６３が位置ずれを起こすことを防止することができる。
【０００９】
しかし、搬送路５５の最下流部を略水平となるように形成した場合、原稿Ｐが排出口５９から排出される際に、原稿Ｐの落下不良の問題が生じる。すなわち、搬送路５５の最下流部を略水平に形成し、原稿Ｐを水平方向へ向って排出させた場合、図５に示すように、排出された原稿Ｐの後端部２６が、排出ローラ１８の周面１８ａに沿って下方へと落下し、排出ローラ１８が取り付けられた下ガイド部材２４の下端壁２７の上隅部２８に引っ掛かることにより、原稿Ｐが排紙トレイ１１上に落下せずに停滞する、という問題がある。
【００１０】
また、従来の他の画像読取装置７０では、排出ローラ７３とは別にパドルリング７６を用意する必要があり、しかも、発泡ウレタン等からなるパドル７７の経時的な摩耗に伴い、パドルリング７６を交換する必要もあるために、コストが高くなるという問題がある。また、パドル７７と原稿Ｐとの接触時にパチパチと騒音が発生するという問題もある。
【００１１】
本発明は、このような問題に鑑みてなされたものであり、搬送路の最下流部に固定式の読取手段が配置されてなる画像読取装置において、読取手段の位置ずれが生じて画像読取精度が劣化すること、原稿の排出時に落下不良が生じること、の少なくとも１つを解決する手段の提供を目的とする。
【課題を解決するための手段】
【００１２】
上記目的を達成するための請求項１の発明は、給紙トレイから斜め下方へ傾斜して最下位置に至り、該最下位置から斜め上方へ傾斜する搬送路と、該搬送路の最下位置に配置され、前記搬送路を搬送される原稿の表面又は裏面の一方の面を読み取る第１読取手段と、該第１読取手段の下流側に配置され、原稿の他方の面に密着して該他方の面を読み取る第２読取手段と、該第２読取手段の搬送路を挟んで対向位置に配置されたプラテンローラと、前記第２読取手段を前記プラテンローラに圧接する付勢手段と、を具備してなる画像読取装置において、前記搬送路の最下流部に、搬送路が水平に形成されてなる水平部が設けられ、該水平部に、前記第２読取手段が、前記付勢手段により前記プラテンローラに圧接されて設けられたものである。
【００１３】
請求項２の発明は、前記搬送路の最下流端に配置され、ローラ軸及び該ローラ軸の軸方向に所定間隔で設けられた複数のローラ本体を備える排出ローラと、前記水平部を排紙トレイに対して所定の高さに形成し、その下流端に前記排出ローラのローラ本体を収装するための凹欠部が夫々形成された下ガイド部材と、前記各凹欠部の少なくともローラ軸方向片側に設けられ、前記ローラ本体の周面よりローラ軸側の位置を頂部として前記下ガイド部材の下端壁から排紙トレイ側へ突出する落下補助リブと、を具備するものである。
【００１４】
請求項３の発明は、前記下ガイド部材の各凹欠部間の下端壁上隅部が面取りされたものである。
【発明の効果】
【００１５】
本発明に係る画像読取装置によれば、搬送路の最下流部に、搬送路が水平に形成されてなる水平部が設けられ、この水平部に、第２読取手段が付勢手段によりプラテンローラに圧接されて設けられたので、第２読取手段に対して作用する力であるスプリングによる付勢力と、重力による力が、共に第２読取手段に対して略直交する方向に作用するために、第２読取手段がプラテンローラの周面に沿って位置ずれを起こして、画像読取精度が劣化するのを、安価なコストで容易に防止することができる。
【００１６】
また、本発明に係る画像読取装置によれば、搬送路の最下流端に配置され、ローラ軸及び該ローラ軸の軸方向に所定間隔で設けられた複数のローラ本体を備える排出ローラと、水平部を排紙トレイに対して所定の高さに形成し、その下流端に排出ローラのローラ本体を収装するための凹欠部が夫々形成された下ガイド部材と、各凹欠部の少なくともローラ軸方向片側に設けられ、ローラ本体の周面よりローラ軸側の位置を頂部として下ガイド部材の下端壁から排紙トレイ側へ突出する落下補助リブとを具備することにより、排出された原稿の後端部は、下ガイド部材の下端壁の上隅部に引っ掛かることなく、落下補助リブに案内されて排紙トレイ上へとスムーズに落下し、原稿の落下不良の発生を防止することができる。
【００１７】
また、本発明によれば、落下補助リブの頂部が、排出ローラのローラ本体の周面よりローラ軸側に位置しているので、排出された原稿の後端部が、落下補助リブの頂部に引っ掛かって原稿の落下不良が発生することを防止することができる。
【００１８】
また、本発明によれば、排出ローラの両端面にパドルリングを取り付けて、原稿に対して水平方向への押し出し力を付与する場合と比較して、コスト削減及び騒音の低減を図ることができる。
【００１９】
また、本発明によれば、下ガイド部材の各凹欠部間の下端壁上隅部が面取りされているので、排出された原稿の後端部が下端壁上隅部に引っ掛かって、原稿の落下不良が発生するのを防止することができる。
【発明を実施するための最良の形態】
【００２０】
搬送路の最下流部が斜め上方へ傾斜して形成され、この最下流部に固定式の読取手段が配置されてなる画像読取装置において、読取手段に位置ずれが生じて画像読取精度が劣化するのを防止するという目的を、最小の部品点数で、且つ安価なコストで実現した。
【実施例】
【００２１】
以下、本発明の実施例に係る画像読取装置１について図面に基づいて説明する。本画像読取装置１は、本体フレーム２に設けられたＦＢＳ３と、原稿押圧板４に設けられたＡＤＦ５とから構成されており、図１は、画像読取装置１の本体フレーム２及び原稿押圧板４の構成を示す概略縦断面図である。ＦＢＳ３は、図に詳細は示さないが、厚みのある原稿Ｐ等を読み取る場合に用いられるものであり、本体フレーム２のプラテンガラス６上に載置された原稿Ｐの表面の画像が、第１読取手段７により読み取られるものとなっている。一方、ＡＤＦ５は、シート状の原稿Ｐを読み取る場合に用いられるものであり、給紙トレイ８にセットされた原稿Ｐが最上紙Ｐｔから１枚ずつ分離されて搬送路９へと送られ、この原稿Ｐの表面の画像が第１読取手段７により読み取られ、裏面の画像が第２読取手段１０に読み取られ、排紙トレイ１１へと排出される構成となっている。
【００２２】
本画像読取装置１は、読み取るべき原稿Ｐの束が載置される給紙トレイ８と、この原稿Ｐの束から最上紙Ｐｔを取り出して搬送路９へ供給するピックアップローラ１２、セパレートローラ１３、及びリタードローラ１４と、供給された原稿Ｐを下方へ反転させながら下流へと案内する搬送路９と、この搬送路９に適宜配置されて原稿Ｐを搬送する搬送ローラ１５と、搬送路９の最下位置Ｂに配置された第１読取手段７と、第１読取手段７の下流側に配置された第２読取手段１０と、第２読取手段１０直下に配置された読取ガラス１６に回転自在に圧接されたプラテンローラ１７と、搬送路９の最下流端９ａに配置された排出ローラ１８と、この排出ローラ１８に圧接されたプレスローラ１９と、排出口２０から排出された原稿Ｐを受ける排紙トレイ１１と、排出口２０から排出された原稿Ｐを排紙トレイ１１へと案内する落下補助リブ２１とを具備してなるものである。尚、給紙トレイ８上にセットされた原稿Ｐの束から最上紙Ｐｔを分離させる手段としては、図に詳細は示さないが、本実施例のリタードローラ１４に代えて分離パッドを配置し、この分離パッドと原稿Ｐとの間に生じる摩擦力を利用して最上紙Ｐｔを分離させる構成とすることも可能である。
【００２３】
搬送路９は、図１に示すように、給紙トレイ８から斜め下方へ傾斜して最下位置Ｂに至り、この最下位置Ｂから斜め上方へ傾斜することで略Ｕ字形状に湾曲して形成された搬送経路であり、一対のガイド部材２２が、互いに向かい合うようにして所定の間隔をおいて配置されることにより形成されている。また、搬送路９の最下流部９ｂには、第２読取手段１０、読取ガラス１６、及びプレスローラ１９等が取り付けられてなる上ガイド部材２３と、プラテンローラ１７、排出ローラ１８等が取り付けられてなる下ガイド部材２４とが配設されており、上ガイド部材２３の底面２３ａと、下ガイド部材２４の上面２４ａによって搬送路９が形成されている。これにより、搬送路９の最下流部９ｂには、搬送路９が略水平に形成されてなる水平部４０が設けられている。また、図に示すように、水平部４０は、排紙トレイ１１に対して所定の高さに形成されている。これにより、排出口２０から排出された原稿Ｐは、排出ローラ１８とプレスローラ１９から押し出し力を付与されて略水平方向へと排出され、排紙トレイ１１へと落下するものとなっている。
【００２４】
この水平部４０を設けたのは、第２読取手段１０に位置ずれが生じて画像読取精度が劣化するのを防止するためである。より詳細に説明するに、１回の通紙で原稿Ｐの表裏両面を読み取る画像読取装置においては、原稿Ｐの表面と裏面との読取画質を均一とすることが重要である。しかし、従来例に係る画像読取装置５０では、前述のように、第２読取手段６３が、平行方向への分力の影響で位置ずれを起こして画像読取精度が劣化することにより、原稿Ｐの表面と裏面とで読取画質にばらつきが生じることとなる。一方、図２は、図１における第２読取手段１０の近傍を拡大した図である。図に示すように、本画像読取装置１では、搬送路９の最下流部９ｂに水平部４０が設けられ、この水平部４０に、第２読取手段１０が略水平となるように配置され、その鉛直下方にプラテンローラ１７が配置されている。また、第２読取手段１０の上面１０ａには、前記上ガイド部材２３に図示しない一端が固定されたスプリング（付勢手段）２５の他端２５ａが取り付けられており、第２読取手段１０は、スプリング２５によって搬送路９と略直交する方向に付勢され、読取ガラス１６が、搬送路９を挟んで対向位置Ｙに配置されたプラテンローラ１７に圧接されている。これにより、搬送路９を搬送される原稿Ｐは、プラテンローラ１７に案内されて、その読取面が読取ガラス１６と密着するものとなっている。この時、図に示すように、第２読取手段１０には、スプリング２５による付勢力Ｆ１と、重力による力Ｆ２が作用するが、そのいずれもが、第２読取手段１０に対して略直交する方向に作用する。従って、第２読取手段１０は、プラテンローラ１７の周面１７ａに沿って位置ずれを起こさず、第２読取手段１０の画像読取精度が劣化することがないので、原稿Ｐの表面と裏面とで読取画質が均一に保たれるものとなっている。
【００２５】
しかし、水平部４０を設けた場合、原稿Ｐが排出口２０から排出される際に、原稿Ｐの落下不良の問題が生じる。図５は、原稿Ｐの落下不良について説明するための図であり、前記落下補助リブ２１のない状態を示している。尚、図において、画像読取装置１と同じ構成については同じ符号を付している。排出口２０から排出された原稿Ｐがどのように落下するかは、搬送路９の最下流部９ｂの傾斜角、原稿Ｐの搬送スピード、及び排出口２０の排紙トレイ１１からの高さ等により決定されるが、搬送路９の最下流部９ｂに水平部４０が設けられ、原稿Ｐが排出口２０から略水平方向に排出されるものでは、図に示すように、排出された原稿Ｐの後端部２６が、排出ローラ１８の周面１８ａに沿って下方へと落下し、排出ローラ１８が取り付けられた下ガイド部材２４の下端壁２７の上隅部２８に引っ掛かる場合がある。
【００２６】
また、原稿Ｐは、排出口２０から略水平方向に排出されるので、原稿Ｐが排出口２０から完全に排出される前に、原稿Ｐの先端部２９が排紙トレイ１１の傾斜部３０に擦れ、その際に生じる静電気により原稿Ｐの先端部２９は傾斜部３０に付着しやすくなっている。これにより、排出された原稿Ｐは、図に示すように、その後端部２６が下端壁２７の上隅部２８に引っ掛かった状態で停滞する場合がある。
【００２７】
更に、停滞した原稿Ｐが排紙トレイ１１上に積み重なるにつれ、後続の原稿Ｐは、その先端部２９が積み重なった原稿Ｐに擦れることで先行の原稿Ｐより更に手前で停滞していく。その結果、図５に示すように、停滞した原稿Ｐの後端部２６がめくれあがり、このめくれあがった原稿Ｐの後端部２６と、排出ローラ１８の周面１８ａとの間に、後続の原稿Ｐがもぐり込むことによって先行する原稿Ｐを追い越し、排出される原稿Ｐの順番が変わってしまうという問題が生じる。
【００２８】
第１読取手段７は、図１に示すように、本体フレーム２上のプラテンガラス６を通して、搬送路９を搬送される原稿Ｐに光を照射する光源３１と、原稿Ｐからの反射光を所定の方向へ導くための反射ミラー３２と、該反射光を収束させるレンズ３３と、収束光を電気信号に変換する電荷結合素子（Charge Coupled Device、以下「ＣＣＤ」という。）３４とを備えてなる所謂ＣＣＤイメージセンサであり、搬送路９の下方において水平方向に移動可能に配設された移動式の画像読取手段である。
【００２９】
即ち、第１読取手段７は、ＦＢＳ３及びＡＤＦ５双方の読取手段として用いられるものであり、ＦＢＳ３により原稿を読み取る際には、プラテンガラス６の下方で水平方向に移動して原稿Ｐを読み取り、ＡＤＦ５により原稿Ｐを読み取る際には読取位置Ｘへ移動するものとなっている。このようにして、搬送路９を搬送されて読取位置Ｘの直上を通過する原稿Ｐの画像を順次読み取るものとなっている。
【００３０】
第２読取手段１０は、ＣＩＳであり、図に詳細は示していないが、その直下に配置された読取ガラス１６に密着された原稿Ｐに光源から光を照射し、その反射光を収束性ファイバで光導電素子上に収束して読み取る固定式の読取手段である。この第２読取手段１０及び読取ガラス１６は、図１に示すように、搬送路９の最下流部９ｂに配置された上ガイド部材２３に取り付けられており、搬送路９を搬送される原稿Ｐについて、第１読取手段７とは逆側の面の画像を読み取るものとなっている。
【００３１】
プラテンローラ１７は、シリコン等からなる白色のものであり、前記読取ガラス１６に対して原稿Ｐを密着させるためのものである。これは、第２読取手段１０として採用されているＣＩＳは、一般に被写体深度が浅いので、ＣＩＳが精度良く画像読み取りを行うためには、搬送路９を搬送される原稿Ｐの読取面を読取ガラス１６と密着させる必要があるからである。このプラテンローラ１７は、図１及び図３に示すように、搬送路９の最下流部９ｂに配置された下ガイド部材２４に形成されたＵ字溝２４ｂの内部に、その一部を外部に突出させるようにして回転可能に軸支されている。また、プラテンローラ１７は、ＣＩＳが原稿Ｐの読み取り前に行うシェーディング補正において、白基準情報を与える役割も果たしている。
【００３２】
排出ローラ１８は、搬送路９を搬送される原稿Ｐを排紙トレイ１１へと排出するためのものである。図３は、下ガイド部材２４における排出ローラ１８近傍を示す図であるが、図に示すように、排出ローラ１８は、図示しないモータによって回転駆動されるローラ軸１８ａと、このローラ軸１８ａの軸方向に所定間隔で設けられた複数のローラ本体１８ｂを備えるなるものであり、ローラ軸１８ａが下ガイド部材２４によって回転自在に軸支され、下ガイド部材２４の下流端２４ｅに形成された凹欠部２４ｃにローラ本体１８ｂが収装されている。本実施例では、ローラ軸１８ａに５個のローラ本体１８ｂを取り付けるものとしているが、ローラ本体１８ｂを取り付ける間隔及び個数は、原稿サイズ等に応じて適宜設計変更が可能である。
【００３３】
プレスローラ１９は、図１に示すように、上ガイド部材２３に回転自在に軸支されたローラ軸１９ａと、このローラ軸１９ａの周囲に回転不能に取り付けられたローラ本体１９ｂとを具備するものであり、図に詳細は示さないが、ローラ本体１９ｂは、ローラ軸１９ａの軸方向に、前記排出ローラ１８のローラ本体１８ｂと同じ間隔、同じ個数だけ取り付けられている。また、このプレスローラ１９は、図示しないバネで下方へと付勢されることにより排出ローラ１８に圧接され、排出ローラ１８の回転に従動して回転するものとなっている。これにより、搬送路９を搬送される原稿Ｐの先端部がプレスローラ１９と排出ローラ１８の間にニップされて、下流側へと搬送されるものとなっている。
【００３４】
落下補助リブ２１は、図３及び図４に示すように、前記凹欠部２４ｃのローラ軸１８ａ方向片側に、ローラ本体１８ｂの周面３５よりローラ軸１８ａ側の位置Ａを頂部３６として下ガイド部材２４の下端壁２４ｄから排紙トレイ１１側へ突出するようにして設けられたものであり、排出口２０から排出された原稿Ｐの後端部２６が、前記各凹欠部２４ｃ間の下端壁２４ｄの上隅部２４ｆに引っ掛かることを回避するためのものである。すなわち、図に示すように、落下補助リブ２１には案内部３７が形成されており、排出された原稿Ｐの後端部２６は、排出ローラ１８の周面３５を滑り落ちた後、落下補助リブ２１の案内部３７を滑り落ち、前記下端壁２４ｄの上隅部２４ｆには接触しにくくなっている。この時、原稿Ｐの後端部２６と案内部３７との接触面積は、原稿Ｐの後端部２６が下端壁２４ｄの上隅部２４ｆに接触する場合と比較して小さくなり、生じる摩擦力も低減するので、原稿Ｐの後端部２６は、よりスムーズに排紙トレイ１１へと落下するものとなっている。本実施例では、図に示すように、原稿Ｐの後端部２６が案内部３７をよりスムーズに滑り落ちることができるよう、案内部３７を急傾斜として形成している。また、落下補助リブ２１の頂部３６は、排出ローラ１８のローラ本体１８ｂの周面３５よりローラ軸１８ａ側に位置しており、排出された原稿Ｐの後端部２６が、落下補助リブ２１の頂部３６に引っ掛かることを防止している。尚、本実施例では、落下補助リブ２１は、下ガイド部材２４と一体に成型しているが、落下補助リブ２１を下ガイド部材２４と別部材とすることも可能である。
【００３５】
また、本実施例では、図３に示すように、落下補助リブ２１は、前記凹欠部２４ｃのローラ軸１８ａ方向片側にのみ設けられている。これは、図に詳細は示さないが、排出された原稿Ｐが排紙トレイ１１上の一定位置に落下するように、原稿Ｐは、排出口２０から排出される際に、その幅方向一端部が端合わせされるものとなっており、この時、原稿Ｐの幅方向他端部が通過する位置に合わせて各ローラ本体１８ｂが配置されている。従って、この幅方向他端部が引っ掛からないように案内するためには、凹欠部２４ｃのローラ軸１８ａ方向片側に落下補助リブ２１を設ければ十分だからである。もちろん、落下補助リブ２１を凹欠部２４ｃのローラ軸１８ａ方向両側に設けることも可能である。
【００３６】
更に、本実施例では、落下補助リブ２１を設けることに加えて、図３に示すように、前記各凹欠部２４ｃ間の下端壁２４ｄの上隅部２４ｆが面取りされて面取り部３８が形成されている。これにより、排出口２０から排出された原稿Ｐの後端部２６が、下端壁２４ｄの上隅部２４ｆに引っ掛かることを一層防止することが可能となっている。
【００３７】
図４は、排出口２０から排出された原稿Ｐの落下を説明するための説明図である。排出口２０から排出された原稿Ｐの後端部２６は、図４（ａ）に示すように、排出ローラ１８のローラ本体１８ｂの周面３５に沿って滑り落ち、図４（ｂ）に示すように、落下補助リブ２１の案内部３７を滑り落ちて排紙トレイ１１上へと落下するものとなっている。
【００３８】
また、本画像読取装置１は、原稿Ｐの両面を読み取る構成だけに限られず、片面のみを読み取る構成とすることも可能である。
【産業上の利用可能性】
【００３９】
本発明は、搬送路の最下流部が斜め上方へ傾斜して形成され、この最下流部に固定式の読取手段が配置されてなる画像読取装置に適用することができる。
【図面の簡単な説明】
【００４０】
【図１】本発明の実施例に係る画像読取装置１を示す概略縦断面図。
【図２】図１における第２読取手段１０の近傍を拡大した概略縦断面図。
【図３】下ガイド部材２４における排出ローラ１８近傍を示す概略斜視図。
【図４】排出口２０から排出された原稿Ｐの落下を説明するための説明図。
【図５】原稿Ｐの落下不良について説明するための説明図。
【図６】従来例に係る画像読取装置５０を示す概略縦断面図。
【図７】図６における第２読取手段６３の近傍を拡大した概略縦断面図。
【図８】従来例に係る画像読取装置７０の原稿排出部７１を示す図。
【符号の説明】
【００４１】
１    画像読取装置
７    第１読取手段
８    給紙トレイ
９    搬送路
９ｂ    最下流部（搬送路）
９ａ    最下流端（搬送路）
１０    第２読取手段
１１    排紙トレイ
１７    プラテンローラ
１８    排出ローラ
１８ａ    ローラ軸
１８ｂ    ローラ本体
２１    落下補助リブ
２４    下ガイド部材
２４ｃ    凹欠部（下ガイド部材）
２４ｄ    下端壁（下ガイド部材）
２４ｅ    下流端（下ガイド部材）
２４ｆ    上隅部（下端壁）
２５    スプリング（付勢手段）
３５    周面（排出ローラ）
３６    頂部（落下補助リブ）
４０    水平部
Ａ    位置
Ｂ    最下位置
Ｐ    原稿
Ｙ    対向位置
【図１】
2005096951.tif 000003
【図２】
2005096951.tif 000004
【図３】
2005096951.tif 000005
【図４】
2005096951.tif 000006
【図５】
2005096951.tif 000007
【図６】
2005096951.tif 000008
【図７】
2005096951.tif 000009
【図８】
2005096951.tif 000010